(57)【要約】【課題】ネットワークに接続された多機能周辺機器としての通信装置の利便性を向上させる。【解決手段】本発明の通信装置１００は、少なくとも一つのネットワーク装置２０１が接続されている第１の通信ネットワーク２００に接続され、該ネットワーク装置２０１との間で双方向通信を行うと共に、上記第１の通信ネットワーク２００とは異なるネットワーク網からなる第２の通信ネットワーク３００に接続され、該第２の通信ネットワーク３００に接続された通信機器３０１との間で通信を行い、常時動作している常時動作部１０３と、上記第１の通信ネットワーク２００上の上記ネットワーク装置２０１に対して、汎用の通信プロトコルを用いて送信したコマンドに対する返信コマンドに応じて、上記常時動作部１０３における動作を制御する通信制御部１１０とを備えている。【選択図】図１
2010004400.tif 000002
【特許請求の範囲】
【請求項１】
少なくとも一つのネットワーク装置が接続されている第１の通信ネットワークに接続され、該ネットワーク装置との間で双方向通信を行うと共に、上記第１の通信ネットワークとは異なるネットワーク網からなる第２の通信ネットワークに接続され、該第２の通信ネットワークに接続された通信機器との間で通信を行う通信装置であって、
当該通信装置において、常時動作している常時動作部と、
上記第１の通信ネットワーク上の上記ネットワーク装置に対して、汎用の通信プロトコルを用いて送信したコマンドに対する返信コマンドに応じて、上記常時動作部における動作を制御する通信制御部とを備えていることを特徴とする通信装置。
【請求項２】
上記通信制御部は、
上記コマンドの送受信を行うコマンド送受信部と、
上記コマンド送受信部により受信したコマンドに、上記常時動作部の動作を制御するために必要な命令コマンドが含まれているか否かを判定するコマンド判定部と、
上記コマンド判定部における判定結果に基づいて上記常時動作部の動作設定を行う動作設定部とを含んでいることを特徴とする請求項１に記載の通信装置。
【請求項３】
上記第２の通信ネットワークが公衆電話網であるとき、
上記常時動作部は、上記公衆電話網を介して受信する呼び出し信号を受信したときに動作する着信動作が複数種類設定されており、
上記動作設定部は、上記コマンド判定部による判定結果に応じて、上記常時動作部における着信動作の種類を設定することを特徴とする請求項２に記載の通信装置。
【請求項４】
上記第２の通信ネットワークが公衆電話網であるとき、
上記常時動作部は、上記公衆電話網を介して受信する呼び出し信号を受信したときに使用者に対して、通知音で知らせる機能を有し、
上記動作設定部は、上記コマンド判定部による判定結果に応じて、上記常時動作部における使用者に対する通知音の音量を制御することを特徴とする請求項２に記載の通信装置。
【請求項５】
上記第２の通信ネットワークが公衆電話網であるとき、
上記常時動作部は、上記公衆電話網を介して受信する呼び出し信号を受信したときに使用者に対して、複数種類の音源からの通知音で知らせる機能を有し、
上記動作設定部は、上記コマンド判定部による判定結果に応じて、上記常時動作部における使用者に対する通知音の音源を切り替えることを特徴とする請求項２に記載の通信装置。
【請求項６】
上記第２の通信ネットワークが公衆電話網であるとき、
上記常時動作部は、留守番電話モードとして在宅モードと留守モードの２種類を含んだ留守番電話機能を有し、
上記動作設定部は、上記コマンド判定部による判定結果に応じて、上記留守番電話機能における在宅モードまたは留守モードの何れかのモードに切り替えることを特徴とする請求項２に記載の通信装置。
【請求項７】
上記動作設定部は、上記留守番電話機能における在宅モードまたは留守モードの何れかのモードに設定されているときに、上記コマンド判定部による判定結果に応じて着信したときの留守応答メッセージを切り替えることを特徴とする請求項６に記載の通信装置。
【請求項８】
上記第２の通信ネットワークが公衆電話網であるとき、
上記常時動作部は、上記公衆電話網から受信したファクシミリデータを、上記第１の通信ネットワークに接続されている自装置以外の他のネットワーク装置へ転送する転送機能を有し、
上記動作設定部は、上記コマンド判定部による判定結果に応じて、受信したファクシミリデータについて、上記の他のネットワーク装置へのファクシミリデータの上記常時動作部による転送の可否設定を行う転送可否設定機能を有していることを特徴とする請求項２〜７の何れか１項に記載の通信装置。
【請求項９】
上記動作設定部は、
上記コマンド送受信部により受信したコマンドに含まれるネットワーク装置のＩＰアドレスにより、異なる処理を実行することを特徴とする請求項２〜８の何れかに記載の通信装置。
【請求項１０】
上記コマンド送受信部は、コマンドの送信を、一定の周期毎に繰返し実施することを特徴とする請求項２〜９の何れか１項に記載の通信装置。
【請求項１１】
上記コマンド送受信部は、コマンド送信を、当該通信装置の動作待機状態時に実施することを特徴とする請求項２〜１０の何れか１項に記載の通信装置。
【請求項１２】
上記第２の通信ネットワークが公衆電話網であるとき、
上記コマンド送受信部は、コマンド送信を、上記公衆電話網を介して回線交換機より受信する呼び出し信号を受けた場合に実施することを特徴とする請求項２〜９の何れか１項に記載の通信装置。
【請求項１３】
上記動作設定部は、設定した動作の情報の一部又は全部を使用者に通知することを特徴とする請求項２〜１２の何れか１項に記載の通信装置。
【請求項１４】
コンピュータを、請求項１〜１３の何れか１項に記載の通信装置の各部として機能させることを特徴とする制御プログラム。
【請求項１５】
請求項１４に記載の制御プログラムを記録したコンピュータ読み取り可能な記録媒体。
【発明の詳細な説明】
【技術分野】
【０００１】
本発明は、少なくとも２種類の通信ネットワークに対する通信機能を有し、１台でプリント機能、複写機能、ファックス機能等の複数の機能を有する通信装置に関するものである。
【背景技術】
【０００２】
昨今、ＭＦＰ（Multi Function Peripheral：複数の機能を搭載した複合的な周辺機器）が知られている。ＭＦＰとして、例えば１台で、プリンタとスキャナー、コピー機、電話機、ＦＡＸなどの複数の機能を兼ねる複合機がある。このように、様々な機能を１台の機器にコンパクトにまとめたＭＦＰは、ＳＯＨＯ（Small Office Home Office）の普及などとともに需要が高まり、一般的になっている。
【０００３】
また、ネットワーク機能を搭載したＭＦＰも一般的になってきている。このようなネットワーク機能を搭載したＭＦＰでは、ネットワークと連携してスキャナー、プリンタ、ＦＡＸ、またネットワーク経由でＰＣ（Personal Computer）からＭＦＰ内部設定や登録等ができるようになっている。
【０００４】
特許文献１，２には、ＰＣ等の通信装置から、在席情報などを送信・登録することにより、サーバやＭＦＰ等の機器の処理を行う技術が開示されている。
【０００５】
一方、ＴＣＰ／ＩＰネットワーク上の指定のＩＰアドレスが接続されているかどうか診断することも一般的に知られている。ＩＰアドレスを指定すると、ＩＣＭＰ（Internet Control Message Protocol）を使って通常３２バイト程度のデータを送信し、相手のコンピュータから返信があるかどうか、返信がある場合はどのくらい時間がかかっているか、などのデータを元にネットワークを診断する命令（ＰＩＮＧなど）が有名である。
【０００６】
特許文献３には、ＰＣ接続確認を実施し、未接続時にはプリント機能を搭載した機器の電源をオフする技術が開示されている。
【特許文献１】特開平１０−８４４１７号公報（１９９８年８月７日公開）
【特許文献２】特開平１０−８４４１７号公報（１９９８年３月３１日公開）
【特許文献３】特開２００６−３２３７７０号公報（２００６年１１月３０日公開）
【発明の開示】
【発明が解決しようとする課題】
【０００７】
しかしながら、従来の何れの技術を用いても、上述したように、電話、ファックス等の常時動作する必要のある機能を有するＭＦＰのような多機能周辺機器をネットワークに接続したシステムにおいて、当該ネットワークに接続されている他の機器の接続状態から、当該多機能周辺機器の各機能の設定を変更することはできなかった。
【０００８】
このため、多機能周辺機器をネットワークに接続した場合の利便性を低下させるという問題が生じる。
【０００９】
本発明は、上記の問題点に鑑みてなされたものであり、その目的は、ネットワークに接続された多機能周辺機器としての通信装置の利便性を向上させることにある。
【課題を解決するための手段】
【００１０】
本発明に係る通信装置は、上記課題を解決するために、少なくとも一つのネットワーク装置が接続されている第１の通信ネットワークに接続され、該ネットワーク装置との間で双方向通信を行うと共に、上記第１の通信ネットワークとは異なるネットワーク網からなる第２の通信ネットワークに接続され、該第２の通信ネットワークに接続された通信機器との間で通信を行う通信装置であって、当該通信装置において、常時動作している常時動作部と、上記第１の通信ネットワーク上の上記ネットワーク装置に対して、汎用の通信プロトコルを用いて送信したコマンドに対する返信コマンドに応じて、上記常時動作部における動作を制御する通信制御部とを備えていることを特徴としている。
【００１１】
上記の構成によれば、通信制御部が、第１の通信ネットワーク上の上記ネットワーク装置に対して、汎用の通信プロトコルを用いて送信したコマンドに対する返信コマンドから、第１の通信ネットワーク上のネットワーク装置の接続状況を監視することになる。そして、監視の結果、接続状況に応じて、上記常時動作部における動作を制御することになる。
【００１２】
これにより、上記構成の通信装置は、第１の通信ネットワークに接続されているネットワーク装置から常時動作部の制御が行われるのではなく、自身が第１の通信ネットワークにおけるネットワーク装置の接続状況に応じて、常時動作している常時動作部の設定を行うことができる。
【００１３】
上記の常時動作している常時動作部は、主に、電話機能、ファクシミリ機能及び、これらの機能に関連する機能を示す。これに加えて、プリント機能、コピー機能等の複数種類の機能も常時動作部とすることもできる。
【００１４】
上記通信制御部は、具体的には、上記コマンドの送受信を行うコマンド送受信部と、上記コマンド送受信部により受信したコマンドに、上記常時動作部の動作を制御するために必要な命令コマンドが含まれているか否かを判定するコマンド判定部と、上記コマンド判定部における判定結果に基づいて上記常時動作部の動作設定を行う動作設定部とを含んでいる。
【００１５】
そして、上記第２の通信ネットワークが公衆電話網であるとき、上記常時動作部は、上記公衆電話網を介して受信する呼び出し信号を受信したときに動作する着信動作が複数種類設定されており、上記動作設定部は、上記コマンド判定部による判定結果に応じて、上記常時動作部における着信動作の種類を設定するようになっている。
【００１６】
上記第２の通信ネットワークが公衆電話網であるとき、上記常時動作部は、上記公衆電話網を介して受信する呼び出し信号を受信したときに使用者に対して、通知音で知らせる機能を有し、上記動作設定部は、上記コマンド判定部による判定結果に応じて、上記常時動作部における使用者に対する通知音の音量を制御するようにすることが好ましい。
【００１７】
上記の構成によれば、第１の通信ネットワーク上のネットワーク装置の接続状況に応じて、公衆電話網を介して受信する呼び出し信号を受信したときの通知音の音量を自動的に切り替えることができる。例えば、第１の通信ネットワーク上のネットワーク装置が接続されている場合には、使用者が当該ネットワーク装置が設置された部屋にいる可能性が高いため、通知音の音量を通常の呼び出し音の音量にし、第１の通信ネットワーク上のネットワーク装置が接続されていない場合には、使用者が当該ネットワーク装置が設置された部屋にいない可能性が高いため、あえて使用者に被呼があったことを知らせる必要がないので、通知音の音量を通常の音量よりも下げるようにすればよい。これにより、通信装置の環境に応じて通知音量を適切に調整することができる。
【００１８】
また、上記第２の通信ネットワークが公衆電話網であるとき、上記常時動作部は、上記公衆電話網を介して受信する呼び出し信号を受信したときに使用者に対して、複数種類の音源からの通知音で知らせる機能を有し、上記動作設定部は、上記コマンド判定部による判定結果に応じて、上記常時動作部における使用者に対する通知音の音源を切り替えるようにするのが好ましい。
【００１９】
上記の構成によれば、第１の通信ネットワーク上のネットワーク装置の接続状況に応じて、公衆電話網を介して受信する呼び出し信号を受信したときの通知音の音源を自動的に切り替えることができる。これにより、第１の通信ネットワーク上のネットワーク装置が接続されている場合と、第１の通信ネットワーク上のネットワーク装置が接続されていない場合とで音源を異ならせて、接続状況に応じて音源を自動的に切り替えるようにすればよい。
【００２０】
また、上記第２の通信ネットワークが公衆電話網であるとき、上記常時動作部は、留守番電話モードとして在宅モードと留守モードの２種類を含んだ留守番電話機能を有し、上記動作設定部は、上記コマンド判定部による判定結果に応じて、上記留守番電話機能における在宅モードまたは留守モードの何れかのモードに切り替えるようにすればよい。
【００２１】
上記の構成によれば、第１の通信ネットワーク上のネットワーク装置の接続状況に応じて、留守番電話モードを自動的に切り替えることができる。例えば、第１の通信ネットワーク上のネットワーク装置が接続されている場合には、使用者が当該ネットワーク装置が設置された部屋にいる可能性が高いため、留守番電話モードを在宅モードに設定し、第１の通信ネットワーク上のネットワーク装置が接続されていない場合には、使用者が当該ネットワーク装置が設置された部屋にいない可能性が高いため、あえて使用者に被呼があったことを知らせる必要がないので、留守番電話モードを留守モードに設定するようにすればよい。
【００２２】
ここで、在宅モードとは、ネットワーク装置付近に使用者が存在している場合に設定する留守番電話モードであり、留守モードとは、ネットワーク装置付近に使用者が存在しない場合に設定する留守番電話モードである。
【００２３】
さらに、上記動作設定部は、上記留守番電話機能における在宅モードまたは留守モードの何れかのモードに設定されているときに、上記コマンド判定部による判定結果に応じて着信したときの留守応答メッセージを切り替えるようにすればよい。
【００２４】
上記の構成によれば、第１の通信ネットワーク上のネットワーク装置の接続状況に応じた、留守応答メッセージに設定できる。例えば、第１の通信ネットワーク上のネットワーク装置が接続されている場合には、使用者が当該ネットワーク装置が設置された部屋にいる可能性が高いため、留守番電話モードが在宅モードであると判定して、在宅モードにおいて最適なメッセージを出力できるように自動的に設定し、第１の通信ネットワーク上のネットワーク装置が接続されていない場合には、使用者が当該ネットワーク装置が設置された部屋にいない可能性が高いため、あえて使用者に被呼があったことを知らせる必要がないので、留守番電話モードが留守モードであると判定して、留守モードにおいて最適なメッセージを出力できるように自動的に設定するようにすればよい。
【００２５】
上記第２の通信ネットワークが公衆電話網であるとき、上記常時動作部は、上記公衆電話網から受信したファクシミリデータを、上記第１の通信ネットワークに接続されている自装置以外の他のネットワーク装置へ転送する転送機能を有し、上記動作設定部は、上記コマンド判定部による判定結果に応じて、受信したファクシミリデータについて、上記の他のネットワーク装置へのファクシミリデータの上記常時動作部による転送の可否設定を行う転送可否設定機能を有していることが好ましい。
【００２６】
上記の構成によれば、第１の通信ネットワーク上のネットワーク装置の接続状況に応じて、受信したファクシミリデータの転送の可否設定を行うことができる。例えば、第１の通信ネットワーク上のネットワーク装置が接続されている場合には、使用者が当該ネットワーク装置が設置された部屋にいる可能性が高いため、受信したファクシミリデータを他のネットワーク装置に転送しないようにし、第１の通信ネットワーク上のネットワーク装置が接続されていない場合には、使用者が当該ネットワーク装置が設置された部屋にいない可能性が高いため、あえて使用者に被呼があったことを知らせる必要がないので、受信したファクシミリデータを他のネットワーク装置に転送するように設定することができる。
【００２７】
上記動作設定部は、上記コマンド送受信部により受信したコマンドに含まれるネットワーク装置のＩＰアドレスにより、異なる処理を実行するようにしてもよい。
【００２８】
上記の構成によれば、予めＩＰアドレス毎に異なる処理を設定するようにすることで、第１の通信ネットワーク上のネットワーク装置の接続状況に応じて、ネットワーク装置に対して所望する処理を実行させることができる。
【００２９】
上記コマンド送受信部は、コマンドの送信を、一定の周期毎に繰返し実施するようにしてもよい。
【００３０】
上記の構成によれば、コマンドの送信を、一定の周期毎に繰返し実施することで、第１の通信ネットワークにネットワーク装置が接続されているか否かの確認を自動で行うようになる。
【００３１】
上記コマンド送受信部は、コマンド送信を、当該通信装置の動作待機状態時に実施するようにしてもよい。
【００３２】
上記の構成によれば、通信装置が使用者により使用されていない間に、第１の通信ネットワークにネットワーク装置が接続されているか否かの確認を自動で行うようになる。
【００３３】
上記第２の通信ネットワークが公衆電話網であるとき、上記コマンド送受信部は、コマンド送信を、上記公衆電話網を介して回線交換機より受信する呼び出し信号を受けた場合に実施するようにしてもよい。
【００３４】
上記の構成によれば、第１の通信ネットワークにネットワーク装置が接続されているか否かの確認を最小限にすることが可能となり、その結果、消費電力の低減を図ることができる。
【００３５】
上記動作設定部は、設定した動作の情報の一部又は全部を使用者に通知するようにしてもよい。
【００３６】
上記の構成によれば、上述のように、各種設定が自動で行われた場合であっても、設定した動作の情報が使用者に通知されるので、使用者による使用感の向上を図ることができる。
【発明の効果】
【００３７】
本発明に係る通信装置は、以上のように、少なくとも一つのネットワーク装置が接続されている第１の通信ネットワークに接続され、該ネットワーク装置との間で双方向通信を行うと共に、上記第１の通信ネットワークとは異なるネットワーク網からなる第２の通信ネットワークに接続され、該第２の通信ネットワークに接続された通信機器との間で通信を行う通信装置であって、当該通信装置において、常時動作している常時動作部と、上記第１の通信ネットワーク上の上記ネットワーク装置に対して、汎用の通信プロトコルを用いて送信したコマンドに対する返信コマンドに応じて、上記常時動作部における動作を制御する通信制御部とを備えていることで、通信ネットワークに接続された通信装置の利便性の向上を図ることができるという効果を奏する。
【発明を実施するための最良の形態】
【００３８】
本発明の一実施形態について説明すれば、以下の通りである。
【００３９】
図１は、本発明の一実施形態に係る通信装置１００の一例を示す概略ブロック図である。
【００４０】
上記通信装置１００は、図１に示すように、２種類の通信ネットワークである、第１の通信ネットワーク２００、第２の通信ネットワーク３００と通信可能となっている。
【００４１】
上記第１の通信ネットワーク２００としては、例えばＬＡＮ（Local Area Network：構内通信網）やＷＡＮ（Wide Area Network：広域通信網）等の通信ネットワークを挙げることができる。本実施の形態では、第１の通信ネットワーク２００としてＬＡＮを用いた場合について説明する。
【００４２】
上記第２の通信ネットワーク３００としては、上記第１の通信ネットワーク２００とは独立して構成される別の通信ネットワーク、例えば固定電話網、携帯電話網等の通信ネットワークを挙げることができる。本実施の形態では、第２の通信ネットワーク３００として固定電話網を用いた場合について説明する。
【００４３】
なお、上記第１の通信ネットワーク２００と第２の通信ネットワーク３００とは、独立して構成された別の通信ネットワークであればよく、同じ種類の通信ネットワークであってもよい。例えば、第１の通信ネットワーク２００と第１の通信ネットワーク２００とが何れも、ＬＡＮであってもよい。
【００４４】
上記第１の通信ネットワーク２００には、少なくとも１台のネットワーク装置２０１が接続され、上記第２の通信ネットワーク３００には、少なくとも１台の通信機器３０１が接続されている。
【００４５】
上記通信装置１００は、上記第１の通信ネットワーク２００に接続されネットワーク装置２０１との間で双方向通信を行うための第１通信部１０１と、上記第２の通信ネットワーク３００に接続された通信機器３０１との間で通信を行うための第２通信部１０２と、上記第２通信部１０２を利用した通信によって常時動作する常時動作部１０３と、これらを制御する通信制御部１１０とを備えている。
【００４６】
ここで、上記常時動作部１０３としては、第２の通信ネットワーク３００が固定電話網などの電話網である場合に、電話の着信や、ファックス受信などの通信装置１００において常時動作する必要のある動作部を示している。
【００４７】
さらに、上記通信装置１００は、上記通信制御部１１０で利用するための各種情報を格納した記憶部１０５を備えている。なお、上記記憶部１０５に格納されている情報は、上記通信制御部１１０によって必要に応じて書き換えられるようになっている。
【００４８】
上記通信制御部１１０は、上記第１通信部１０１を用いて、上記第１の通信ネットワーク２００を介して上記ネットワーク装置２０１に対して汎用の通信プロトコルにてコマンドの送受信を行うコマンド送受信部１１１と、上記コマンド送受信部１１１が受信したコマンドに命令コマンドが含まれているか否かを判定するコマンド判定部１１２と、上記コマンド判定部１１２によって、命令コマンドが含まれていると判定したときに、当該命令コマンドに対応付けられた処理を実行するための動作を設定する動作設定部１１３とを少なくとも含んでいる。
【００４９】
上記通信プロトコルは、通信装置１００から第１の通信ネットワーク２００に接続されているネットワーク装置２０１に対してデータを送信し、該ネットワーク装置２０１から返信データを受信するためのプロトコルであれば、どのようなプロトコルであってもよい。例えば、上記の通信プロトコルの一つとして、ＰＩＮＧ（Packet INternet Groper）を挙げることができる。
【００５０】
上記構成の通信装置１００は、第１の通信ネットワーク２００に対してネットワーク装置２０１の接続状況を確認するためのコマンドを送信し、返信されたデータに命令コマンドが含まれているときに、この命令コマンドに予め対応付けられた処理を実行するための動作を設定するようになっているので、ネットワーク装置２０１側から通信装置１００の動作を制御する必要はない。
【００５１】
しかも、通信装置１００側で、第１の通信ネットワーク２００に接続されているネットワーク装置２０１の接続状況を把握できるので、記憶部１０５に予め接続状況とそれに対応する処理とを対応付けて記憶させておけば、ネットワーク装置２０１の接続状況に応じて自動的に通信装置１００自身で所望の処理を実行することができる。
【００５２】
以上のことから、本発明の通信装置１００としては、ネットワーク接続機能を有して、少なくとも通話機能、ファックス機能等の常時動作させる必要のある機能を備えた多機能周辺装置（ＭＦＰ：Multifunction Peripheral）が好適である。
【００５３】
また、上記通信装置１００は、第１の通信ネットワーク２００に対してネットワーク装置２０１の接続状況を確認した接続確認結果や、通信制御部１１０内の動作設定部１１３において決定された設定情報を、ユーザに通知する通知部１０６を備えている。この通知部１０６を実現する機能としては、接続確認結果や接続情報を印字出力するためのプリンタなどの印字機能、接続確認結果や接続情報をユーザにメール転送するためのＳＭＴＰ機能、接続確認結果や接続情報を表示するための液晶表示パネルなどの表示機能、接続確認結果や接続情報を音声で報知するためのスピーカなどの音声出力機能を挙げることができる。このように、上記通知部１０６を実現する機能としては、ユーザに対して接続確認結果や設定情報を知らせる得る機能であればどのような機能であってもよい。
【００５４】
以下に、本発明の通信装置１００をＭＦＰに適用した例について説明する。
【００５５】
図２は、ＭＦＰ１の概略構成ブロック図である。なお、ＭＦＰ１において、通信装置１００と同一の機能を有する部材については同一の部材番号を付記し、詳細な説明は省略する。
【００５６】
上記ＭＦＰ１は、図２に示すように、第１通信部１０１に相当するネットワーク部２、クロック３、第２通信部１０２に相当するＮＣＵ（Network Control Unit）４及びモデム部５、スピーカー制御部６、スピーカー７、操作部８、記憶部１０５、通信制御部１１０を含んだ構成となっている。
【００５７】
ここで、記憶部１０５、通信制御部１１０は、図１に示す通信装置１００の構成要素と同じなので、詳細な説明は省略する。
【００５８】
上記ネットワーク部２は、Ethernet（登録商標）等の通信方式によるＬＡＮ１０（第１の通信ネットワーク２００）に接続されている。これにより、ＭＦＰ１は、同じＬＡＮ１０に接続されているネットワーク装置２０１との間で通信を行うようになっている。例えば、図３に示すように、（１）通信装置１００がコマンド送信をネットワーク装置２０１に対して行った結果、（２）該ネットワーク装置２０１が受信したコマンドに対する返信用のコマンドを通信装置１００に送信する。
【００５９】
上記クロック３は、現在時間を通信制御部１１０に出力するものである。ここで、通信制御部１１０は、クロック３からの出力により現在時刻を把握し、予め設定された時刻に達したときに、他のネットワーク装置２０１に対して接続確認用のコマンドを送信するようになっている。
【００６０】
上記第２通信部１０２内のＮＣＵ４は、第２の通信ネットワーク３００である公衆網２０と通信ケーブル１１を介して接続され、該公衆網に対するデータの送受信のためのポートとして機能している。
【００６１】
上記モデム部５は、ＮＣＵ４を介して公衆網２０（第２の通信ネットワーク３００）にデータの送信及び受信を行うところである。このモデム部５は、受信したデータをスピーカー制御部６及び通信制御部１１０に出力するようになっている。
【００６２】
上記スピーカー制御部６は、モデム部５から得られたデータに基づいて、スピーカー７に音波となる電気信号を出力するようになっている。例えば、モデム部５から得られたデータが電話の着信を示すデータであれば、音波として着信音を鳴らすようにスピーカー７に電気信号を出力する。
【００６３】
上記操作部８は、ＭＦＰ１における各種の操作及び設定を行うための入力インターフェースである。ＭＦＰ１のユーザは、この上記操作部８を操作することで、同一ＬＡＮ１０上に接続されている他のネットワーク装置２０１の接続状況を確認したり、接続状況確認のための設定を行ったりすることができる。
【００６４】
図４は、ＭＦＰ１とネットワーク装置２０１との接続関係を示す図である。
【００６５】
ここで、上記構成のＭＦＰ１は、図４に示すように、ネットワーク装置２０１としての３台のＰＣ（Personal Computer）（１）〜（３）及び２台のネットワーク機器（１）（２）と通信ネットワークの一つであるＬＡＮ１０に接続されている。すなわち、ここでは、通信装置１００が接続されている第１の通信ネットワーク２００は、ＬＡＮ１０である。なお、図４の各機器の上部に記した数値（例えば、１９２．１６８．１．２.）は、各機器のＩＰアドレスを示している。
【００６６】
上記ＬＡＮ１０は、ルータ１２を介してインターネットに接続されている。
【００６７】
上記ＭＦＰ１は、第１の通信ネットワーク２００としてのＬＡＮ１０を介してインターネットにアクセス可能である。
【００６８】
また、ＭＦＰ１は、ＬＡＮ１０に接続して機能するネットワーク機能だけでなく、電話／ファクシミリ／留守番電話機能を備えており、第２の通信ネットワーク３００の一つである公衆網２０が接続されている。
【００６９】
上記のネットワーク機器（１）（２）としては、ネットワークプリンタやネットワーク家電（冷蔵庫、エアコンなど）でもよいし、部屋の照明などでもよく、ネットワークに接続する機能を有する機器であれば、特に種類は問わない。
【００７０】
図４に示すネットワークにおいて、ＭＦＰ１は、操作部８からの操作信号により、ＬＡＮ１０に接続された他の機器に対して、図５に示すような各機器の接続設定を行う。つまり、ＭＦＰ１は、図５に示す接続設定により、各機器の接続状況を把握する。
【００７１】
具体的には、ＭＦＰ１は、図５で設定された時刻になると、図４に示すＬＡＮ１０に接続されたネットワーク機器（１）、ＰＣ（２）、ＰＣ（３）に相当するＩＰアドレスに対してＬＡＮ接続確認のコマンドを送信するものとする。ここで、ＭＦＰ１は、図５に示す接続設定情報に基づいて、図４に示すＬＡＮ１０に接続された機器のうち、接続設定が行われていないネットワーク機器（２）、ＰＣ（１）に対してはネットワーク接続確認の対象となっていないため、ＬＡＮ接続確認のコマンド送信を実施しない。コマンド送信に対して各機器からのコマンド受信（図３）の有無を図２の記憶部１０５に記憶させる。記憶させた結果が図６のような結果になっているものとする。
【００７２】
図６に示す結果は、接続の確認時間が、１８時の時点では、ネットワーク機器（１）とＰＣ（２）が接続確認されている結果が得られているが、２１時の時点では全ての機器の接続確認が取れなかったことを示している。２１時の時点では、全てのネットワーク装置からコマンド受信が無かったという結果を示している。
【００７３】
ここで、ＭＦＰ１は、図１に示す通信制御部１１０内のコマンド送受信部１１１により受信したコマンドからコマンド判定部１１２によって、全てのネットワーク装置からのコマンド受信が無かったと判定した場合に、当該通信制御部１１０が任意の処理を行う。
【００７４】
上記の任意の処理とは、電話／ファクシミリ／留守番電話機能に関する各種設定の変更でも良いし、ＭＦＰ１がネットワーク経由で受信されるパケットをポーリングしないようにする設定に変更することでも良いし、ネットワーク機器が照明機器などの場合では、照明ＯＦＦを示す送信コマンドを送ることでも良い。任意の処理内容については、特に問わないが、ユーザが所望する処理を行うものとする。
【００７５】
以下に、任意の処理として、電話／ファクシミリ／留守番電話機能に関する各種設定の変更を行う場合の例について説明する。
【００７６】
まず、着信設定制御について説明する。
【００７７】
図７は、ＭＦＰ１における着信設定制御の流れを示すフローチャートである。以下の説明において、接続しているとは、機器がＬＡＮ１０に接続され通信可能な状態であることを示し、接続されていないとは、機器がＬＡＮ１０に接続されているものの、電源ＯＦＦ等により通信不可能な状態であることを示すものとする。
【００７８】
まず、ＭＦＰ１の通信制御部１１０は、クロック３の出力により、図５に示した接続確認の設定時刻を経過したか否かを判定する（ステップＳ１）。ここで、設定時刻を経過していれば、コマンド送受信部１１１が、予め設定した確認先の機器に対して、接続確認用のコマンドを第１通信部１０１からＬＡＮ１０を介して送信して接続確認を行い、接続確認を行った結果を記憶部１０５に格納する（ステップＳ２）。
【００７９】
次に、記憶部１０５に格納されている接続確認から、前回接続の確認結果を調べて、ＬＡＮ１０に接続されているか否かを判定する（ステップＳ３）。
【００８０】
ステップＳ３において、前回接続されていることが確認されれば、ステップＳ４に移行して、今回接続の確認結果から接続されているか否かを判定する。ここで、今回接続されていれば処理を終了し、今回接続されていなければ、着信回数を２回に設定し、着信時のモードをＦＡＸ受信固定に設定し（ステップＳ５）、処理を終了する。
【００８１】
一方、ステップＳ３において、前回接続されていないと確認されれば、ステップＳ６に移行して、今回接続の確認結果から接続されているか否かを判定する。ここで、今回接続されていなければ、既に着信モードが設定されていると判断し、処理を終了し、今回接続されていれば、着信回数を５回に設定し、着信時のモードをＴＥＬ／ＦＡＸ自動切替えモードに設定し（ステップＳ７）、処理を終了する。
【００８２】
ここで、ＴＥＬ／ＦＡＸ自動切替えモードとは、一旦、ＭＦＰ１は着信しておいた上でＭＦＰ１本体のベルを鳴らし通話を促すのと並行して回線からのＦＡＸ送信信号（ＣＮＧ信号など）を検出している状態、つまり電話／ＦＡＸの両待ち状態となるモードのことである。
【００８３】
以上のように、図７に示すフローチャートでは、前回ネットワーク機器との接続確認が取れており、今回ネットワーク機器との接続確認が取れなくなった場合に、着信設定を着信回数２回、着信時のモードをＦＡＸ受信固定に変更する処理の流れを示すと共に、前回ネットワーク機器との接続確認が取れておらず、今回ネットワーク機器との接続確認が取れるようになった場合に、着信設定を着信回数５回、着信時のモードをＴＥＬ／ＦＡＸ自動切替えモードに設定する処理の流れを示している。前者は、図６に示す接続確認時間が１８時から２１時に移行した場合の処理の流れに相当し、後者は、図６に示す接続確認時間が２１時から翌日の９時に移行した場合の処理の流れに相当している。
【００８４】
ここで、ＬＡＮ１０内の図５に示すように接続確認対象として設定されているネットワーク機器がオフィスの１部屋に存在していると仮定した場合、１８時から２１時に移行した場合は、その部屋が不在になるというケースと判定できるので、電話には誰もでることはできないと想定して、ＦＡＸ専用マシンとしてＦＡＸ受信固定に設定することを意味しており、２１時から翌日の９時に移行した場合は、その部屋が稼動開始したということで誰かが在席していると判定し、ＭＦＰ１を電話／ＦＡＸの両方を受けることが可能なモードに切り替えることを意味している。
【００８５】
次に、着信音量制御について説明する。
【００８６】
図８は、ＭＦＰ１における音量設定処理の流れを示すフローチャートである。
【００８７】
まず、ＭＦＰ１の通信制御部１１０は、第２通信部１０２によって公衆網２０からの受信、すなわち被呼の有無を判定する（ステップＳ１１）。ここで、被呼有りと判定すれば、通信制御部１１０によって、図５において設定した接続確認対象の機器がＬＡＮ１０に接続されているか否かを確認する（ステップＳ１２）。
【００８８】
ステップＳ１２において、機器が接続されていると判定された場合、スピーカー制御部６によりスピーカー７による着信鳴動音を大音量レベルに設定し（ステップＳ１３）、処理を終了する。
【００８９】
一方、ステップＳ１２において、機器が接続されていないと判定された場合、スピーカー制御部６によりスピーカー７による着信鳴動音を小音量レベルに設定し（ステップＳ１４）、処理を終了する。
【００９０】
ここでは、図６に示す接続確認結果から、２１時の時点で全てのネットワーク機器の接続確認が取れなくなった場合と、翌日の９時に１台の接続確認が取れるようになった場合とを例にして上記処理を当てはめる。この場合、ＭＦＰ１は、２１時から翌日の９時の間、ＬＡＮ１０に接続されたネットワーク機器は無いと判断し、被呼時の着信ベル音量を小に設定する。それ以外の時間帯は、接続ネットワーク機器があると判断し被呼時の着信ベル音量を大に設定する。一般に、ネットワーク接続が無いということは不在である場合が多いため、あえて人に被呼があったことを大音量で知らせる必要がないことから有効である。
【００９１】
続いて、着信音源制御について説明する。
【００９２】
図９は、ＭＦＰ１における着信音源設定処理の流れを示すフローチャートである。
【００９３】
まず、ＭＦＰ１の通信制御部１１０は、第２通信部１０２によって公衆網２０からの受信、すなわち被呼の有無を判定する（ステップＳ２１）。ここで、被呼有りと判定すれば、通信制御部１１０によって、図５において設定した接続確認対象の機器が全てＬＡＮ１０に接続されていないことを確認する（ステップＳ２２）。
【００９４】
ステップＳ２２において、機器が全てＬＡＮ１０に未接続でないと判定されれば、少なくとも１台の機器はＬＡＮ１０に接続されていると判断し、接続されている機器が設定された時刻において予め設定された機器（一部の機器）であるか否かを判断する（ステップＳ２３。ここで、一部の機器であると判断されれば、着信音を予め指定されたメロディに選択し（ステップＳ２４）、処理を終了する。
【００９５】
また、ステップＳ２３において、一部の機器でないと判断されれば、着信音を予め指定されたベルの音に選択し（ステップＳ２５）、処理を終了する。
【００９６】
さらに、上記のステップＳ２２において、全機器が未接続であると判断されれば、着信音を音源無しのノンコールに設定し（ステップＳ２６）、処理を終了する。
【００９７】
ここでは、図６に示す接続確認結果から、１２時、１３時に全設定機器がネットワーク接続されている場合と、９時、１８時の時点で一部の機器がネットワーク接続されている場合と、２１時の時点で接続されているネットワーク機器は無い場合とにおける着信制御について説明している。
【００９８】
つまり、図９に示すフローチャートにより、２１時の時点で、音源無しのノンコール設定とする。９時、１８時の時点では一部の機器がネットワーク接続されているので、指定のメロディを着信音源として設定する。１２時、１３時の時点では全機器がネットワーク接続されている結果のため、着信音源として通常のベル音を設定する。
【００９９】
なお、着信設定については、上述した例の設定だけではなく、ネットワーク接続機器がない場合に異なる音源を使用する設定とするなども考えられる。
【０１００】
また、上述の着信音源制御については、ネットワーク機器の接続確認のコマンド受信情報を利用して着信音源を切り替えればよいので、図９に示すフローチャートの処理に限定されるものではない。
【０１０１】
次に、在宅／留守制御について説明する。
【０１０２】
図１０は、ＭＦＰ１における在宅／留守制御の流れを示すフローチャートである。以下の説明において、接続しているとは、機器がＬＡＮ１０に接続され通信可能な状態であることを示し、接続されていないとは、機器がＬＡＮ１０に接続されているものの、電源ＯＦＦ等により通信不可能な状態であることを示すものとする。
【０１０３】
まず、ＭＦＰ１の通信制御部１１０は、クロック３の出力により、図５に示した接続確認の設定時刻を経過したか否かを判定する（ステップＳ３１）。ここで、設定時刻を経過していれば、コマンド送受信部１１１が、予め設定した確認先の機器に対して、接続確認用のコマンドを第１通信部１０１からＬＡＮ１０を介して送信して接続確認を行い、接続確認を行った結果を記憶部１０５に格納する（ステップＳ３２）。
【０１０４】
次に、記憶部１０５に格納されている接続確認から、前回接続の確認結果を調べて、ＬＡＮ１０に接続されているか否かを判定する（ステップＳ３３）。
【０１０５】
ステップＳ３３において、前回接続されていることが確認されれば、ステップＳ３４に移行して、今回接続の確認結果から接続されているか否かを判定する。ここで、今回接続されていれば処理を終了し、今回接続されていなければ、着信モードを留守モードに設定し（ステップＳ３５）、処理を終了する。
【０１０６】
一方、ステップＳ３３において、前回接続されていないと確認されれば、ステップＳ３６に移行して、今回接続の確認結果から接続されているか否かを判定する。ここで、今回接続されていなければ、既に着信モードが留守モードに設定されていると判断し、処理を終了し、今回接続されていれば、着信モードを在宅モードに設定し（ステップＳ３７）、処理を終了する。
【０１０７】
以上のように、図１０に示すフローチャートでは、前回ネットワーク機器との接続確認が取れており、今回ネットワーク機器との接続確認が取れなくなった場合に、留守モード設定に変更するものである。留守モード時は、一定の着信回数後に応答メッセージを流し、メッセージ録音可能にするモードのことである。また、前回ネットワーク機器との接続確認が取れておらず、今回ネットワーク機器との接続確認が取れるようになった場合に、在宅モードに変更するものである。在宅モードは、一定着信回数後に応答メッセージ等は流さず、前述した自動ＦＡＸ受信モードや、ＴＥＬ／ＦＡＸ自動切替えモードなどに移行するモードである。オフィスなどのＬＡＮ環境では、ネットワーク機器の未接続状態が人の不在であることと一致するケースが多く、自動で留守／在宅モードを切り替えることが可能である。
【０１０８】
次に、留守応答制御について説明する。
【０１０９】
図１１は、ＭＦＰ１における留守応答処理の流れを示すフローチャートである。
【０１１０】
まず、ステップＳ４１において、ＭＦＰ１の通信制御部１１０は、第２通信部１０２によって公衆網２０からの受信、すなわち被呼の有無を判定する。
【０１１１】
次に、ステップＳ４２において、被呼有りと判定すれば、通信制御部１１０によって、着信モードが留守モードに設定されているか否かを判定する。
【０１１２】
さらに、ステップＳ４３において、留守モードに設定されていると判定すれば、着信回数が規定回数に達しているか否かを判定する。
【０１１３】
以上のステップＳ４１〜Ｓ４３において、全て、ＹＥＳの場合に、ＬＡＮ１０に接続されているネットワーク機器が存在しているか否かを判定する（ステップＳ４４）。ここで、ＬＡＮ１０にネットワーク機器が接続されていると判定されれば、応答メッセージ（１）を再生し（ステップＳ４５）、ＬＡＮ１０にネットワーク機器が接続されていないと判定されれば、応答メッセージ（２）を再生し（ステップＳ４６）、処理を終了する。
【０１１４】
ここで、図６に示す接続確認結果を上記の処理に当てはめると、図１１に示すフローチャートにおいて、ネットワーク機器が全て未接続状態である２１時から翌日の９時の間は、留守着信時に応答メッセージ（２）を流し、それ以外の時間帯は少なくとも１台のネットワーク機器が接続状態にあるので、応答メッセージ（１）を流すということを示している。上記の応答メッセージ例としては、図１２（ａ）〜図１２（ｃ）に示す通りである。
【０１１５】
上述のように、図５で設定されているネットワーク機器が全てネットワークに接続されていないということを、人が既に不在でオフィスなどでは業務が終了していることに意味づけしている。よって応答メッセージ（２）は、それを鑑みた応答メッセージとなっている。例えば、図１２（ｂ）に示す応答メッセージ例２を挙げることができる。
【０１１６】
また、ネットワーク機器がＬＡＮ１０に接続された状態では、一時的に席を外している可能性が大きいため、応答メッセージ（１）は、それを鑑みた応答メッセージとなっている。例えば、図１２（ａ）または図１２（ｃ）に示す応答メッセージ例１，３を挙げることができる。
【０１１７】
このように考えることで、ＬＡＮ環境下の状態をオフィス等の状態と関連付けて、ユーザ所望の設定とすることが可能となる。
【０１１８】
以上の説明では、接続確認結果として、図６に示す例を示すのみであり、特にユーザに対して結果を示す点について触れなかったが、接続確認結果を上記通信装置１００の通知部１０６を用いてユーザに通知するようにしてもよい。通知例としては、図１３に示すような内容が考えられる。
【０１１９】
また、上記接続確認結果の通知方法は、様々な方法を用いることができるが、例えば、ＭＦＰ１が印字機能を搭載しているのであれば、接続確認結果を印字しても良いし、また、ＭＦＰ１がＳＭＴＰ機能を搭載しているのであれば、接続確認結果をユーザに対してメール送信しても良いし、単に操作部により操作し本体上に表示しても良い。
【０１２０】
また、通信装置１００では、上述したように、上記通知部１０６において、上記接続確認結果の他に設定情報をユーザに通知することが可能である。
【０１２１】
各設定情報をユーザに通知する場合、具体的には、以下に示すような情報として通知部１０６によって通知される。図１４（ａ）〜図１４（ｄ）は、通知部１０６による設定情報の通知例を示す。ここでは、○印を付記した項目が設定された項目であることを示している。
【０１２２】
例えば、図７に示した着信モード設定制御により設定された設定情報は、図１４（ａ）に示すような情報となる。ここでは、自動ＦＡＸ受信モードが設定されていることが示されている。
【０１２３】
また、図８に示した音量設定制御により設定された設定情報は、図１４（ｂ）に示すような情報となる。ここでは、大音量ベル鳴動が設定されていることが示されている。
【０１２４】
さらに、図９に示した着信音源設定制御により設定された設定情報は、図１４（ｃ）に示すような情報となる。ここでは、メロディ選択が設定されていることが示されている。
【０１２５】
また、図１０に示した在宅／留守設定制御、及び図１１に示した留守応答制御によって設定された設定された情報は、図１４（ｄ）に示すような情報となる。ここでは、留守モードに設定されると共に、この留守モードに最適な応答内容を示す応答メッセージ（１）が設定されていることが示されている。
【０１２６】
以上のように、ユーザに通知すべき接続確認結果や設定情報は、図１３、図１４（ａ）〜図１４（ｄ）に示す内容全てであってもよいし、一部分の情報のみであってもよく、通知すべき情報は適宜設定可能となっている。
【０１２７】
続いて、転送制御について説明する。
【０１２８】
図１５は、ＭＦＰ１における転送処理の流れを示すフローチャートである。
【０１２９】
まず、ＭＦＰ１の通信制御部１１０は、第２通信部１０２によって公衆網２０からの受信、すなわちＦＡＸ受信の有無を判定する（ステップＳ５１）。ここで、ＦＡＸ受信があれば、通信制御部１１０によって、図５において設定した接続確認対象のネットワーク機器のうちＬＡＮ１０に接続されているネットワーク機器が存在しているか否かを判定する（ステップＳ５２）。
【０１３０】
ステップＳ５２において、ＬＡＮ１０に接続されているネットワーク機器が存在していると判定されれば、ＭＦＰ１に搭載された印字機能により、ＦＡＸ受信データを印字し（ステップＳ５３）、処理を終了する。
【０１３１】
一方、ステップＳ５３において、ＬＡＮ１０に接続されているネットワーク機器が存在していないと判定されれば、何れかのネットワーク機器に対してＦＡＸ受信データを転送し（ステップＳ５４）、処理を終了する。
【０１３２】
以上のように、図１５に示すフローチャートでは、図６に示す接続確認結果から、ネットワーク機器が全て未接続状態である場合にＦＡＸ受信した場合の処理を示す。
【０１３３】
ここでは、図６に示す接続確認結果において、２１時から翌日の９時の間にＦＡＸ受信し受信データがＭＦＰ１に存在する場合には、ユーザが指定するネットワーク機器のＩＰアドレスに受信データを転送するようになっている。つまり、ネットワーク機器が全て未接続状態であることを、オフィス等の人の不在と認識することにより、ＦＡＸ受信データをそのままＭＦＰ１により印字しないようになり、セキュリティ上、また印字データの取り忘れなどを防ぐといった効果がある。
【０１３４】
次に、着信音源制御の他の例について説明する。
【０１３５】
図１６は、図５に示す機器の接続設定例が拡張された場合の接続設定例を示す図である。
【０１３６】
図１７は、図１６に示す接続設定例を用いた場合の着信音源設定処理の流れを示すフローチャートである。
【０１３７】
まず、ＭＦＰ１の通信制御部１１０は、第２通信部１０２によって公衆網２０からの受信、すなわち被呼の有無を判定する（ステップＳ６１）。ここで、被呼有りと判定すれば、通信制御部１１０によって、図１６において設定した接続確認対象のネットワーク機器（１）がＬＡＮ１０に接続されているか否かを判定する（ステップＳ６２）。
【０１３８】
ステップＳ６２において、ネットワーク機器（１）がＬＡＮ１０に接続されていると判定されれば、さらに、図１６において設定した接続確認対象のＰＣ（２）（３）が接続されているか否かを判定する（ステップＳ６３）。
【０１３９】
ステップＳ６３において、ＰＣ（２）（３）が接続されていないと判定されれば、ＬＡＮ１０には、ネットワーク機器（１）のみが接続されているものとして、着信音を予め指定されたメロディに選択し（ステップＳ６４）、処理を終了する。
【０１４０】
一方、ステップＳ６３において、ＰＣ（２）（３）が接続されていると判定されれば、ＬＡＮ１０には、図１６に示した接続確認対象であるネットワーク機器（１）及びＰＣ（２）（３）の全てが接続されているものとして、着信音を予め指定されたベル音に選択し（ステップＳ６５、処理を終了する。
【０１４１】
また、上記ステップＳ６２において、ネットワーク機器（１）がＬＡＮ１０に接続されていないと判定されれば、着信音を音源無し（ノンコール）に設定し（ステップＳ６６）、処理を終了する。
【０１４２】
以上の処理は、接続確認結果により実施する所定の処理を、各ネットワーク機器の接続確認結果によって異なる処理を実施することを示している。
【０１４３】
図１７に示すフローチャートは、図９に示すフローチャートに示す着信音源制御の他の例について示したものである。そして、図１６に示す接続設定例では、ネットワーク機器（１）が未接続であることを最優先とする設定となっている。つまり、ネットワーク機器（１）が未接続の場合は、他の機器の接続結果に関わらずノンコール着信設定としている。
【０１４４】
図１６に示す接続設定は、ネットワーク機器（１）の接続可否が人の不在と連携しており、ＰＣ（２）、ＰＣ（３）などはあまり関連しない場合に有効な設定である。このように、接続設定をユーザが自由に設定できるようにすれば、ユーザ環境により柔軟に設定を決定出来るという利便性を有している。
【０１４５】
ここで、ＭＦＰ１が接続確認を行う場合、図５、図１６に示すように予め決めた接続設定に基づくのではなく、ＭＦＰ１が一定周期毎に繰り返し他のネットワーク機器の接続確認を行うようにしてもよい。
【０１４６】
この場合の一定周期は、ユーザが図２の操作部８を介して設定する周期であてもよいし、ＭＦＰ１の初期設定で予め設定された周期であってもよい。このように、一定周期で接続確認する場合には、各ネットワーク機器の接続状況が日々で異なるケースなどにおいて、特に有効であり、図５や図１６に示すように予め決まった接続設定に基づいて接続確認を行うよりは、利便性は高い。
【０１４７】
また、ＭＦＰ１が実施する他のネットワーク機器のネットワーク接続確認を、該ＭＦＰ１が動作していない待機状態の時に実施するのが好ましい。つまり、ＭＦＰ１は、コピー機能やプリント機能が使用されず、電話、ＦＡＸの着信を待っている待機状態の時にネットワーク接続確認を行うようにするのが好ましい。これは、各ネットワーク機器に接続していない場合でも、ＭＦＰ１のみが使用されている場合に有効である。ユーザが在室時でＭＦＰ１の使用時にも関わらず、留守設定など不在時の設定に変更されてしまうことを防止する意味で有効である。
【０１４８】
さらに、ＭＦＰ１が実施する他のネットワーク機器のネットワーク接続確認のタイミングを、公衆網の回線交換機より受信する呼び出し信号を受けた場合（着信時）に行うようにしてもよい。これは、リアルタイム性を重視したものであり、例えば、図１０に示すフローチャートの場合は、着信時に留守判定を行うことになり、図１５に示すフローチャートの場合は、着信後に受信するＦＡＸデータの転送設定を行うことになり、前者後者ともにリアルタイム性があり、有効である。
【０１４９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１５０】
最後に、通信装置の各ブロック、特に通信制御部１１０は、ハードウェアロジックによって構成してもよいし、次のようにＣＰＵを用いてソフトウェアによって実現してもよい。
【０１５１】
すなわち、通信制御部１１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである通信制御部１１０の制御プログラムのプログラムコード（実行形式プログラム、中間コードプログラム、ソースプログラム）をコンピュータで読み取り可能に記録した記録媒体を、上記通信制御部１１０に供給し、そのコンピュータ（またはＣＰＵやＭＰＵ）が記録媒体に記録されているプログラムコードを読み出し実行することによっても、達成可能である。
【０１５２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１５３】
また、通信制御部１１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１５４】
少なくとも２種類の通信ネットワークに対して通信可能な通信装置、特に、一つの通信ネットワークが公衆電話網である場合の通信装置に好適である。
【図面の簡単な説明】
【０１５５】
【図１】本発明の一実施形態に係る通信装置の一例を示す概略ブロック図である。
【図２】図１に示す通信装置をＭＦＰに適用した場合の要部構成を示すブロック図である。
【図３】図２に示すＭＦＰと他のネットワーク装置とが双方向通信を行っている状態を示す図である。
【図４】ＭＦＰとネットワーク装置との接続関係を示す図である。
【図５】各機器の接続設定を示す図である。
【図６】図５に示す各機器の接続設定に基づいた接続確認結果を示す図である。
【図７】ＭＦＰにおける着信設定制御の流れを示すフローチャートである。
【図８】ＭＦＰにおける音量設定処理の流れを示すフローチャートである。
【図９】ＭＦＰにおける着信音源設定処理の流れを示すフローチャートである。
【図１０】ＭＦＰにおける在宅／留守制御の流れを示すフローチャートである。
【図１１】ＭＦＰにおける留守応答処理の流れを示すフローチャートである。
【図１２】（ａ）〜（ｃ）は、留守モード時における応答メッセージの例を示す図である。
【図１３】ユーザに対する接続確認結果を通知する通知例を示す図である。
【図１４】（ａ）〜（ｄ）は、ユーザに対する設定情報を通知する通知例を示す図である。
【図１５】ＭＦＰにおける転送処理の流れを示すフローチャートである。
【図１６】図５に示す機器の接続設定例を拡張された場合の接続設定例を示す図である。
【図１７】図１６に示す接続設定例を用いた場合の着信音源設定処理の流れを示すフローチャートである。
【符号の説明】
【０１５６】
１  ＭＦＰ
２  ネットワーク部
３  クロック
４  ＮＣＵ
５  モデム部
６  スピーカー制御部
７  スピーカー
８  操作部
１０  ＬＡＮ
１１  通信ケーブル
１２  ルータ
２０  公衆網
１００  通信装置
１０１  第１通信部
１０２  第２通信部
１０３  常時動作部
１０５  記憶部
１０６  通知部
１１０  通信制御部
１１１  コマンド送受信部
１１２  コマンド判定部
１１３  動作設定部
２００  第１の通信ネットワーク
２０１  ネットワーク装置
３００  第２の通信ネットワーク
３０１  通信機器
【図１】
2010004400.tif 000003
【図２】
2010004400.tif 000004
【図３】
2010004400.tif 000005
【図４】
2010004400.tif 000006
【図５】
2010004400.tif 000007
【図６】
2010004400.tif 000008
【図７】
2010004400.tif 000009
【図８】
2010004400.tif 000010
【図９】
2010004400.tif 000011
【図１０】
2010004400.tif 000012
【図１１】
2010004400.tif 000013
【図１２】
2010004400.tif 000014
【図１３】
2010004400.tif 000015
【図１４】
2010004400.tif 000016
【図１５】
2010004400.tif 000017
【図１６】
2010004400.tif 000018
【図１７】
2010004400.tif 000019